(57)【特許請求の範囲】
【請求項１】
放射体温計本体と、鼓膜およびその近傍から発せられる赤外線を受光する赤外線センサーと、耳孔に挿入し先端に前記赤外線を通過する赤外線通過部を備えたプローブと、前記赤外線センサーの出力信号に基づき前記鼓膜およびその近傍の温度を換算する温度換算手段と、前記温度換算手段の換算結果を音声信号に変換する音声信号変換手段と、音声信号を音声に変換するスピーカーと、前記スピーカーのコーン部側に接しまたは近接し一方が開放端でもう一方が閉鎖端の筒状集音部を有し、前記筒状集音部は前記スピーカーの前記コーン部側より発せられる音を閉じ込めて減衰し、前記放射温度計本体内には前記スピーカーの前記コーン部とは反対側からの音を発する構成とした放射体温計。
【請求項２】
前記筒状集音部は、その閉鎖端に前記放射体温計本体の外郭に通じる単数または複数の開口部を有することを特徴とする請求項１記載の放射体温計。
【請求項３】
前記放射体温計本体は、仕切られて隣接した電池収納部を有し、前記筒状集音部は前記電池収納部に対して開口部を有することを特徴とする請求項１記載の放射体温計。
【請求項４】
前記筒状集音部は内部に吸音材を有することを特徴とする請求項１記載の放射体温計。
【請求項５】
前記スピーカーは、プリント基板上に上向きに設置されていることを特徴とする請求項１記載の放射体温計。
【請求項６】
前記スピーカーの前記コーン部とは反対側より発せられた音が前記赤外線センサーを振動させることを特徴とする請求項１記載の放射体温計。
【請求項７】
前記スピーカーの前記コーン部とは反対側より発せられた音が前記プローブを振動させることを特徴とする請求項１記載の放射体温計。
【発明の詳細な説明】
【０００１】
【発明の属する技術分野】
本発明は生体の体温を耳孔内から発せられる赤外線量を検知することにより測定する放射体温計に関するものである。
【０００２】
【従来の技術】
従来より体温計として、耳孔内から発せられる赤外線量を検知して体温換算し表示する放射体温計があり、これらは水銀や熱電対を利用した接触型のものに対して短時間で測定可能であるという特徴がある。
【０００３】
その一般的な例として特開平６−１６５号公報に示されるものを図６により説明する。図８に示すように放射体温計は、プローブ１と、プローブ１内を長さ方向に走る導光管２と、導光管２内を伝搬した赤外線の放射強度を電気信号に変換する光電変換器（赤外線センサー）３と、変換された電気信号から温度を測定する温度換算手段（測定回路）４を備える。
【０００４】
このプローブ１を外耳道に挿入することで、赤外線センサー３が鼓膜およびその近傍から発せられる赤外線を受光し、受光した赤外線量に相関を持った電気信号を出力し、測定回路４がその電気信号から鼓膜およびその近傍の温度を換算するというものである。
【０００５】
いっぽう近年、老人等の視力弱者や視覚障害者は、表示による結果の報知のみでは測定した体温を知ることが困難であることから、近年では音声報知機能付きの接触型体温計が開発されている。
【０００６】
図７において測定回路１５は、接触型温度センサー１４からの電気信号を温度換算し、音声合成回路５は測定回路１５の出力に応じて内臓ＲＯＭにＰＣＭ録音した音声フレーズを組み合わせて音声合成し、スピーカー６より報知する。
【０００７】
スピーカー６は本体７の内側に固定するが、スピーカー６を固定した部分に音孔１１を設けることにより、スピーカー６の上部より発せられる音を効率的に本体７の外へ発し、スピーカー６の下部より発せられる音を本体７の内部に閉じ込める。スピーカー６の上部と下部から発せられる音は互いに逆位相であり、同時に聞くと打ち消しあって不明瞭に聞こえるが、これらを分離し上部からの音のみを使用者に聞かせることにより明瞭な音質を得ることが出来る。
【０００８】
【発明が解決しようとする課題】
しかしながら鼓膜温を測定する放射体温計にあっては、測定の際にプローブを耳孔に挿入しているので音声が明瞭に聞きづらく、プローブ内から音声を発するのが望ましいが、当然ながらプローブの延長上には赤外線センサーが実装されているため、スピーカーを直接耳の方向に向けて実装する事ができないという課題があった。
【０００９】
従ってスピーカーは放射体温計本体内に任意の方向を向けて実装することとなるが、この場合の音声は赤外線センサー、プローブを介して振動によって耳に伝わることとなる。
【００１０】
スピーカーは、コーンを震わせることで空気を振動させ音声を発しているので、スピーカーの上部と下部から出る音は逆位相であり、同じ放射体温計本体内で混ざってしまうと、それぞれが打ち消し合って不明瞭な音質になってしまう課題があった。
【００１１】
【課題を解決するための手段】
本発明は上記課題を解決するために、放射体温計本体と、鼓膜およびその近傍から発せられる赤外線を受光する赤外線センサーと、耳孔に挿入し先端に前記赤外線を通過する赤外線通過部を備えたプローブと、前記赤外線センサーの出力信号に基づき前記鼓膜およびその近傍の温度を換算する温度換算手段と、前記温度換算手段の換算結果を音声信号に変換する音声信号変換手段と、音声信号を音声に変換するスピーカーと、前記スピーカーのコーン部側に接しまたは近接し一方が開放端でもう一方が閉鎖端の筒状集音部を有し、前記筒状集音部は前記スピーカーの前記コーン部側より発せられる音を閉じ込めて減衰し、前記放射温度計本体内には前記スピーカーの前記コーン部とは反対側からの音を発する構成とした。
【００１２】
上記発明によれば、赤外線センサーに収納された受光部は鼓膜およびその近傍から発せられプローブの赤外線通過部を通過した赤外線のみを受光し、温度換算手段は受光部の出力信号に基づき温度換算を行う。音声信号変換手段は前記温度換算手段の出力に応じ音声信号をスピーカーに伝える。筒状集音部は前記スピーカーのコーン部側より発せられる音を集音し減衰するので、前記スピーカーのコーン部とは反対側より発せられた音のみが放射温度計本体の内部を伝わって前記赤外線センサーおよびプローブを振動し、前記プローブを介して耳孔に報知音声を導くこととなる。
【００１３】
【発明の実施の形態】
本発明の請求項１にかかる放射体温計は、放射体温計本体と、鼓膜およびその近傍から発せられる赤外線を受光する赤外線センサーと、耳孔に挿入し先端に前記赤外線を通過する赤外線通過部を備えたプローブと、前記赤外線センサーの出力信号に基づき前記鼓膜およびその近傍の温度を換算する温度換算手段と、前記温度換算手段の換算結果を音声信号に変換する音声信号変換手段と、音声信号を音声に変換するスピーカーと、前記スピーカーのコーン部側に接しまたは近接し一方が開放端でもう一方が閉鎖端の筒状集音部を有し、前記筒状集音部は前記スピーカーの前記コーン部側より発せられる不要音声のみを集音して減衰し、前記放射温度計本体内には前記スピーカーの前記コーン部とは反対側からの有効音声のみ発する構成としたものである。
【００１４】
そして、赤外線センサーは鼓膜およびその近傍から発せられプローブの赤外線通過部を通過した赤外線のみを受光し、温度換算手段は受光部の出力信号に基づき温度換算を行う。また音声信号変換手段は温度換算手段の出力に応じて音声信号を出力し、スピーカーは音声信号を音声に変換する。筒状集音部は、スピーカーのコーン部側を覆うように配すことでコーン部側より発せられる音のみを集音し消音されるので、スピーカーのコーン部とは反対側より発せられる音と打ち消し会うことがなく、明瞭な報知音声を得ることが出来る。
【００１５】
また本発明の請求項２にかかる放射体温計は、前記筒状集音部が本体外郭に向かって単数または複数の開口部を有する構成としたものである。そして筒状集音部は開口している部分からスピーカーのコーン部側より発する音声のみを本体外郭に発する事により、反対側の耳に音声報知する効果と、本体内から逆位相音を消音する効果を生み出す。
【００１６】
また本発明の請求項３にかかる放射体温計は、筒状集音部が隣接し仕切られた電池収納部に開口している構成としたものである。そして筒状集音部は開口している部分から放射温度計本体と仕切られた電池収納部に音漏れすることにより、消音効果を向上する。
【００１７】
また本発明の請求項４にかかる放射体温計は、筒状集音部内に例えばスポンジ状の吸音材を有する構成としたものである。そして、吸音材がスピーカーのコーン部側からの音を直接吸収することで、請求項３と同様に消音効果を向上でき音の明瞭化を図ることが出来る。
本発明の請求項５にかかる放射体温計は、スピーカーは、プリント基板上に上向きに設置されている構成としたものである。
本発明の請求項６にかかる放射体温計は、スピーカーのコーン部とは反対側より発せられた音が赤外線センサーを振動させる構成としたものである。
本発明の請求項７にかかる放射体温計は、スピーカーのコーン部とは反対側より発せられた音がプローブを振動させる構成としたものである。
【００１８】
【実施例】
（実施例１）
以下、本発明の第１の実施例を図１〜図２を参照しながら説明する。図１は本発明の放射体温計の構成図である。図２は音声合成部のブロック図である。
図１において放射体温計は、プローブ１と、プローブ１内を通過してきた耳からの赤外線を反射・集光する反射レンズ２と、反射レンズ２の集光した赤外線の放射強度を電気信号に変換する赤外線センサー３と、変換された電気信号から温度を測定する測定回路４を備える。
【００１９】
このプローブ１を外耳道に挿入することで、赤外線センサー３が鼓膜およびその近傍から発せられる赤外線を受光し、受光した赤外線量に相関を持った電気信号を出力し、測定回路４がその電気信号から鼓膜およびその近傍の温度を換算するというものである。
【００２０】
図２において音声合成部は音声合成回路５とスピーカー６を具備し、音声合成回路５は測定回路４の出力に応じて内臓ＲＯＭにＰＣＭ録音した音声フレーズを組み合わせて音声合成し、スピーカー６より報知する。
本来ならばスピーカー６は、プローブ１の延長上に耳に向けて配するべきものだが、鼓膜付近の温度を測る放射体温計である以上この位置には必ず反射レンズ２および赤外線センサー３が設置されるため、スピーカー６は別の方法で設置する必要がある。
【００２１】
図１においてスピーカー６は本体７の内側に固定したＰ板８上に上向きに設置している。但しこのままでは、課題の項にも記したようにスピーカー６の上部／下部から出た逆位相の音声が、互いに打ち消しあって不明瞭な音声となるため、スピーカー６の上部には筒状集音部９を近接して配する。筒状集音部９は本体７の内壁に突き出たリブで構成しており、上部は閉鎖端となっているため、スピーカー６の上部から出た音（以下、不要音声と記す）のみが筒状集音部９の内部で反射を繰り返して大幅に減衰する事となる。いっぽう下部から発せられる音声（以下、有効音声と記す）は、不要音声と混ざり合う事なく本体７の内部を通って赤外線センサー３および反射レンズ２周辺を振動させ、プローブ１内を通って耳道に到達するので使用者に明瞭な音声を提供できる事となる。
【００２２】
（実施例２）
次に本発明の第２の実施例による放射体温計の構成図を図３を用いて説明する。図４において、６はスピーカー、９は筒状集音部、７は本体である。第１の実施例と同様に筒状集音部９は本体７の内壁に突き出たリブで構成しているが、上部に外郭へと通じる開口部１１を有する点で第１の実施例と異なる。
【００２３】
開口部１１を設ける事により不要音声は、本体の外へ漏洩する。第１の実施例では筒状集音部９の中に不要音声を閉じ込める構成としたので、反射により減衰する際に筒状集音部９自体を振動させ、不要音声の一部が本体内に戻って有効音声と混ざり合う事が起きるが、本体７の開口部から外へ出す事によってより効果的に不要音声を減衰し、かつ外へ出た不要音声はプローブを挿入していない側の耳に届く事となるので、更に音質の明瞭化を測る事が出来る。
【００２４】
（実施例３）
次に本発明の第３の実施例による放射温度計の構成図を図４を用いて説明する。図４において６はスピーカー、９は筒状集音部、７は本体、１０は本体７に隣接した電池収納部である。筒状集音部９と電池収納部１０は開口部１２でつながっており、不要音声は電池収納部１０の中に漏洩する。
【００２５】
基本的には第２の実施例と同様に、筒状集音部９内の不要音声を効果的に減衰させる効果があるが、意匠的な制約や防水効果の点で本体＊の外郭に開口部を設けられない場合もある。電池収納部＊はユーザーが電池交換を行う理由から本体７の内部と隔離し、かつ電池の大きさに対応した内容積を有しており、ここに不要音声を逃がす事でより効果的に不要音声を減衰する事が出来る。
【００２６】
（実施例４）
次に本発明の第４の実施例による放射温度計の構成図を図５を用いて説明する。図５において６はスピーカー、９は筒状集音部、７は本体、１３は筒状集音部９の内部に配した吸音材である。吸音材１３は例えばスポンジ上の軟らかな材料で構成する事により不要音声を吸収するので、開口部１２による外部への漏洩との相乗効果で不要音声を減衰する事が出来る。
【００２７】
【発明の効果】
以上説明したように本発明の放射体温計は以下の効果を有する。
【００２８】
本発明の請求項１にかかる放射体温計によれば、音声合成回路に接続したスピーカーのコーン部側に接しまたは近接した筒状集音部でスピーカーのコーン部側から出る不要音声を閉じ込めて減衰する事により、逆位相の音同士が交じり合う事なく、スピーカーのコーン部とは反対側から出る有効音声を効率よくプローブおよび耳道に伝達する事が出来る。
【００２９】
本発明の請求項２にかかる放射体温計によれば、筒状集音部から本体外郭に開口を設ける事で不要音声を本体の外に出す事により、本体内部で不要音声を効果的に減衰する事が出来、また使用者の測定していない耳や使用者以外の耳にも音声を伝達する事が出来る。例えば母親が子供の体温を測る場合や医師が患者の体温を測る場合など測定者と被測定者が異なる場合でも、測定者が測定結果を音声によって知る事が出来る。
【００３０】
本発明の請求項３にかかる放射体温計によれば、筒状集音部と電池収納部の間に開口部を設ける事により、不要音声をより効果的減衰させかつ本体外郭に開口部を設けないので、意匠上の制約や防水効果に影響を及ぼす事がない。
【００３１】
本発明の請求項４にかかる放射体温計によれば、筒状集音部内に吸音材を設けて不要音声を減衰する事で音質の向上を図るものであり、特にこの構成は請求項１および３と組み合わせることでより大きな相乗効果を生む事が出来る。
【図面の簡単な説明】
【図１】本発明の実施例１における放射体温計の構成図
【図２】同放射体温計の音声合成部のブロック図
【図３】本発明の実施例２における放射温度計の構成図
【図４】本発明の実施例３における放射温度計の構成図
【図５】本発明の実施例４における放射温度計の構成図
【図６】従来例における放射温度計の構成図
【図７】従来例における音声合成部のブロック図
【符号の説明】
１  プローブ
２  反射レンズ
３  赤外線センサー
４  測定回路
５  音声合成回路
６  スピーカー
７  本体
８  Ｐ板
９  筒状集音部
１０  電池収納部
１１  開口部
１２  開口部
１３  吸音材
【図１】
0004171117.tif 000002
【図２】
0004171117.tif 000003
【図３】
0004171117.tif 000004
【図４】
0004171117.tif 000005
【図５】
0004171117.tif 000006
【図６】
0004171117.tif 000007
【図７】
0004171117.tif 000008